(57)【要約】【課題】画像表示パネルの固定構造において、その画像表示パネルに反りや歪み等が生じてしまうのを防止して、表示むら等が発生するのを回避する。【解決手段】固定用貫通孔１ａを有する画像表示パネル１が、前記固定用貫通孔１ａに対応する位置に配された支持部２ａを有する支持フレーム２上に装着固定されてなる画像表示装置において、前記固定用貫通孔１ａおよび前記支持部２ａを利用して前記画像表示パネル１を前記支持フレーム２に装着するとともに、前記固定用貫通孔１ａの軸方向に沿って前記画像表示パネル１が遊びを有した状態となるように当該装着を行う締結具６と、前記画像表示パネル１の遊び方向に沿って当該画像表示パネル１を付勢するとともに、前記画像表示パネル１での画像表示に悪影響を及ぼす歪み変形が当該画像表示パネル１に生じる力よりも小さな力で当該付勢を行う付勢手段３，４，５とを備える。【選択図】図１
2007279336.tif 000002
【特許請求の範囲】
【請求項１】
外周近傍の複数箇所に固定用貫通孔を有する画像表示パネルと、
前記固定用貫通孔に対応する位置に配された支持部を有する支持フレームと、
前記固定用貫通孔および前記支持部を利用して前記画像表示パネルを前記支持フレームに装着するとともに、前記固定用貫通孔の軸方向に沿って前記画像表示パネルが遊びを有した状態となるように当該装着を行う締結具と、
前記画像表示パネルが有する遊び方向に沿って当該画像表示パネルを付勢するとともに、前記画像表示パネルでの画像表示に悪影響を及ぼす歪み変形が当該画像表示パネルに生じる力よりも小さな力で当該付勢を行う付勢手段と
を備えることを特徴とする画像表示装置。
【請求項２】
前記締結具は、
前記支持部に設けられた雌ネジ部と螺合するネジ径の雄ネジと、
内径が前記雄ネジのネジ径より大きく、外径が前記固定用貫通孔の孔径より小さく、前記固定用貫通孔の孔深さより前記遊びの分だけ長く形成された筒状のスペーサと
から構成されていることを特徴とする請求項１記載の画像表示装置。
【請求項３】
前記締結具は、前記支持部に設けられた雌ネジ部と螺合するネジ径の雄ネジ部と、外径が当該雄ネジ部のネジ径より大きく、かつ、前記固定用貫通孔の孔径より小さく、当該固定用貫通孔の孔深さより前記遊びの分だけ長く形成されたスペーサ部と、を有した段付きネジ構造のものである
ことを特徴とする請求項１記載の画像表示装置。
【請求項４】
前記付勢手段は、前記画像表示パネルの画像表示領域の周囲の配設された弾性部材を有し、当該弾性部材の弾性変形を利用して前記画像表示パネルを前記支持フレームに向けて付勢するものである
ことを特徴とする請求項１記載の画像表示装置。
【請求項５】
外周近傍の複数箇所に固定用貫通孔を有する画像表示パネルを、前記固定用貫通孔に対応する位置に配された支持部を有する支持フレームに装着するための固定構造であって、
前記固定用貫通孔を貫通し前記支持部と螺合する締結具を用いて、前記固定用貫通孔の軸方向に沿って前記画像表示パネルが遊びを有した状態となるように、前記画像表示パネルを前記支持フレームに装着し、
前記画像表示パネルが有する遊び方向に沿って当該画像表示パネルを付勢するとともに、前記画像表示パネルでの画像表示に悪影響を及ぼす歪み変形が当該画像表示パネルに生じる力よりも小さな力で当該付勢を行う
ことを特徴とする画像表示パネルの固定構造。
【発明の詳細な説明】
【技術分野】
【０００１】
本発明は、いわゆるＦＰＤ（フラット・パネル・ディスプレイ）と呼ばれる画像表示パネルを備えた画像表示装置およびその画像表示装置で用いられる画像表示パネルの固定構造に関する。
【背景技術】
【０００２】
近年、液晶表示パネルや有機ＥＬ（エレクトロルミネッセンス）パネル等といった画像表示パネルが広く利用されているが、このような画像表示パネルを用いて画像表示装置を構成する場合、画像表示パネルを、その画像表示パネルを支持するための支持フレーム（筐体）に、ねじを用いて固定することが一般的である。すなわち、図３に示すように、画像表示パネル１には、その外周近傍の複数箇所に固定用貫通孔１ａを設けておき、その一方で、画像表示パネル１を支持する支持フレーム２には、画像表示パネル１の固定用貫通孔１ａに対応する位置に雌ネジ部２ｂを設けておき、画像表示パネル１を支持フレーム２上の所定位置に位置決めした状態で、雄ネジ（締結具）７が、固定用貫通孔１ａを介して雌ネジ部２ｂに螺入されることで、画像表示パネル１が支持フレーム２上に固定されるようになっている（例えば、特許文献１参照）。
【０００３】
【特許文献１】特開２０００−７７８５５号公報
【発明の開示】
【発明が解決しようとする課題】
【０００４】
ところで、上述した従来の固定構造では、画像表示パネル１の外周近傍の複数箇所を雄ネジ７により締結固定しているので、その画像表示パネル１の固定用貫通孔１ａの付近が当接する支持フレーム２における支持部（雌ネジ部２ｂが設けられた取り付け面）について、十分な部品精度や剛性等を確保する必要がある。取り付け面の平面度にばらつきがあったり、十分な剛性が確保できなかったりすると、雄ネジ７を用いた締結固定を行った場合に、その取り付け面の精度不足や剛性不足等に起因して、画像表示パネル１に反りや歪み等が生じ得るからである。このような画像表示パネル１の反りや歪み等は、画像を表示する際の表示むら等を招くおそれがあるため、その発生を回避すべきである。
【０００５】
その一方で、画像表示パネル１を支持する支持フレーム２には、簡素な構造で作成が容易なことや、これによる低コスト化等が要求される。したがって、支持フレーム２における画像表示パネル１の支持部について、十分な部品精度や剛性等を確保することは、必ずしも現実的ではない。
【０００６】
そこで、本発明は、支持フレームについて十分な部品精度や剛性等を確保しなくとも、画像表示パネルに反りや歪み等が生じてしまうことがなく、その画像表示パネルにおいて表示むら等が発生してしまうのを回避することができる画像表示装置および画像表示パネルの固定構造を提供することを目的とする。
【課題を解決するための手段】
【０００７】
本発明は、上記目的を達成するために案出された画像表示装置で、外周近傍の複数箇所に固定用貫通孔を有する画像表示パネルと、前記固定用貫通孔に対応する位置に配された支持部を有する支持フレームと、前記固定用貫通孔および前記支持部を利用して前記画像表示パネルを前記支持フレームに装着するとともに、前記固定用貫通孔の軸方向に沿って前記画像表示パネルが遊びを有した状態となるように当該装着を行う締結具と、前記画像表示パネルが有する遊び方向に沿って当該画像表示パネルを付勢するとともに、前記画像表示パネルでの画像表示に悪影響を及ぼす歪み変形が当該画像表示パネルに生じる力よりも小さな力で当該付勢を行う付勢手段とを備えることを特徴とする。
【０００８】
上記構成の画像表示装置によれば、締結具が画像表示パネルを支持フレームに装着するが、その装着を画像表示パネルが遊びを有した状態で行うようになっている。ただし、画像表示パネルが遊びを有していても、付勢手段が当該画像表示パネルを遊び方向に沿って付勢しているので、当該画像表示パネルが支持フレームへの装着状態でガタついてしまうといったことは生じない。また、付勢手段による付勢は、画像表示パネルでの画像表示に悪影響を及ぼす歪み変形（反り、歪み、応力集中等の全てを含む）が当該画像表示パネルに生じる力よりも小さな力で行われている。すなわち、例えば支持フレームの支持部に反りや歪み等が生じていても、その反りや歪み等に画像表示パネルが倣ってしまう程の力を、付勢手段が当該画像表示パネルに加えることがない。そのため、支持フレームの支持部について十分な部品精度や剛性等を確保していなくとも、画像表示パネルに反りや歪み等が生じてしまうことはない。
【発明の効果】
【０００９】
本発明によれば、支持フレームについて十分な部品精度や剛性等を確保しなくとも、画像表示パネルに歪み変形が生じてしまうことがない。したがって、画像表示パネルにおける歪み変形に起因する表示むら等の発生を未然に回避することができ、画像表示の際に良好な画質が得られるようになる。しかも、支持フレームについて十分な部品精度や剛性等を必要としないので、その支持フレームを簡素な構造で容易に作成することが実現可能となり、結果として装置の薄型化や小型化、装置コストの低減等を図る上で非常に好適なものとなる。
【発明を実施するための最良の形態】
【００１０】
以下、図面に基づき本発明に係る画像表示装置および画像表示パネルの固定構造について説明する。
【００１１】
図１は、本発明に係る画像表示装置の要部構成例を示す説明図である。なお、図中において、従来と同一の構成要素については、同一の符号を付している。
【００１２】
図例のように、本実施形態で説明する画像表示装置は、画像表示パネル１を備えてなるものであり、その画像表示パネル１の固定構造に特徴を有したものである。
【００１３】
画像表示パネル１は、液晶表示パネルや有機ＥＬパネル等からなるもので、画像表示を行うための画像表示領域と、その画像表示領域の周囲に位置することになる非画像表示領域とを有する。そして、非画像表示領域には、画像表示パネル１の固定を行うために、その画像表示パネル１の非画像表示領域の外周近傍の複数箇所に、固定用貫通孔１ａが設けられている。
【００１４】
また、画像表示パネル１は、その画像表示パネル１を支持するための支持フレーム２に、装着されて固定される。そのために、支持フレーム２は、画像表示パネル１の各固定用貫通孔１ａに対応する位置に配された支持部２ａを有している。そして、支持部２ａには、固定用貫通孔１ａに対応して雌ネジ部２ｂが設けられている。このような支持フレーム２は、簡素な構造で容易に作成し得るようにすべく、例えば金属板の板金加工によって形成することが考えられる。
【００１５】
さらに、画像表示パネル１は、画像表示領域の画像表示面側が、その画像表示領域の周囲の配設されたスポンジ材等の弾性部材３を介して、例えばガラス板からなるパネル保護板４によって覆われている。これにより、画像表示パネル１の画像表示領域は、防塵され、かつ、衝撃等から保護されることになる。また、パネル保護板４には、画像表示パネル１の画像表示領域に対応した大きさの開口５ａを有する前面カバー５が当接しており、その画像表示領域以外の部分を覆う外筐として機能するようになっている。なお、前面カバー５がパネル保護板４に当接することによって、弾性部材３には、詳細を後述するように、画像表示パネル１の固定用貫通孔１ａの軸方向に沿って圧縮されるような弾性変形が生じているものとする。
【００１６】
ところで、画像表示パネル１の支持フレーム２への装着は、固定用貫通孔１ａおよび支持部２ａを利用する締結具６によって行われる。すなわち、締結具６が画像表示パネル１の固定用貫通孔１ａを貫通するとともに、その締結具６が支持フレーム２の支持部２ａに設けられた雌ネジ部２ｂと螺合することによって、画像表示パネル１が支持フレーム２上に装着されるのである。
【００１７】
ここで、画像表示パネル１を支持フレーム２上に装着するための締結具６について、さらに詳しく説明する。図２は、締結具の具体例を示す説明図である。
【００１８】
締結具６としては、例えば図２（ａ）に示すように、支持フレーム２の支持部２ａに設けられた雌ネジ部２ｂと螺合するネジ径の雄ネジ６ａと、内径が雄ネジ６ａのネジ径より大きく、かつ、外径が画像表示パネル１の固定用貫通孔１ａの孔径より小さい筒状のスペーサ６ｂと、から構成されたものが挙げられる。このような構成において、スペーサ６ｂは、その軸方向に沿った長さ寸法ｌが、画像表示パネル１の固定用貫通孔１ａが設けられている部分の厚さ寸法、すなわち当該固定用貫通孔１ａの孔深さ寸法Ｌよりも、大きく（長く）形成されているものとする。
【００１９】
また、締結具６としては、例えば図２（ｂ）に示すように、支持フレーム２の支持部２ａに設けられた雌ネジ部２ｂと螺合するネジ径の雄ネジ部６ｃと、外径が雄ネジ部６ｃのネジ径より大きく、かつ、画像表示パネル１の固定用貫通孔１ａの孔径より小さいスペーサ部６ｄと、を有した段付きネジ構造のものも挙げられる。このような段付きネジ構造においても、スペーサ部６ｄは、その軸方向に沿った長さ寸法ｌが、画像表示パネル１の固定用貫通孔１ａが設けられている部分の厚さ寸法、すなわち当該固定用貫通孔１ａの孔深さ寸法Ｌよりも、大きく（長く）形成されているものとする。
【００２０】
このような締結具６を用いて画像表示パネル１を支持フレーム２上に装着すると、図１に示すように、画像表示パネル１は、スペーサ６ｂまたはスペーサ部６ｄの長さ寸法ｌと固定用貫通孔１ａの孔深さ寸法Ｌとの差分ｌ−Ｌ＝ｈだけ、固定用貫通孔１ａの軸方向に沿った遊びを有した状態となる。つまり、締結具６は、固定用貫通孔１ａの軸方向に沿って画像表示パネル１が差分ｈの遊びを有した状態となるように、画像表示パネル１の支持フレーム２への装着を行うのである。
【００２１】
画像表示パネル１が遊びを有した状態となるように、締結具６が画像表示パネル１の支持フレーム２への装着を行うと、そのままの状態では、その遊びの分だけ、画像表示パネル１にガタつきが生じることになる。すなわち、画像表示パネル１の支持フレーム２への装着のみだけで、当該画像表示パネル１の固定は行えない。
【００２２】
ところが、画像表示パネル１は弾性部材３を介してパネル保護板４で覆われており、そのパネル保護板４には前面カバー５が当接しており、さらにその当接によって弾性部材３には弾性変形が生じている。したがって、その弾性変形によって、画像表示パネル１には、その画像表示パネル１が有する遊び方向に沿って、その画像表示パネル１を支持フレーム２の側に向けて付勢する力が作用することになる。つまり、弾性部材３、パネル保護板４および前面カバー５の組み合わせが、その弾性部材３の弾性変形を利用しつつ、画像表示パネル１を支持フレーム２に向けて付勢するのである。これにより、画像表示パネル１は、ガタつきが生じることなく、支持フレーム２上に固定されることになる。
【００２３】
このときの弾性部材３、パネル保護板４および前面カバー５による画像表示パネル１の付勢力、すなわち弾性部材３の弾性変形によって生じる反発力（画像表示パネル１に対する押圧力）は、画像表示パネル１での画像表示に悪影響を及ぼす歪み変形が当該画像表示パネル１に生じる力よりも小さいものとする。
【００２４】
画像表示パネル１での画像表示に悪影響を及ぼす歪み変形には、画像を表示する際の表示むら等を招くおそれのある画像表示パネル１の反り、歪み、応力集中等の全てを含む。このような歪み変形が画像表示パネル１に生じる力は、その画像表示パネル１のサイズ、固定用貫通孔１ａの数や位置等によって異なるが、画像表示パネル１への加圧実験および画像表示実験等を行い、その実験等を通じて得られる経験則に基づいて決定すればよい。したがって、画像表示パネル１に対する付勢力についても、経験則に基づいて決定することが考えられる。すなわち、経験則に基づいて、弾性部材３の形成材料選定（弾性係数選定）や弾性変形量の選定等を行えばよい。
【００２５】
以上のように、本実施形態で説明した画像表示装置、および、その画像表示装置で用いられる画像表示パネル１の固定構造では、締結具６が画像表示パネル１を支持フレーム２に装着するが、その装着を画像表示パネル１が遊びを有した状態で行うようになっている。すなわち、画像表示パネル１には、支持フレーム２への装着状態にて、締結具６のスペーサ６ｂまたはスペーサ部６ｄの長さ寸法ｌと画像表示パネル１における固定用貫通孔１ａの孔深さ寸法Ｌとの差分ｈだけ、遊び（隙間）が生じている。そのため、締結具６を支持フレーム２の支持部２ａにおける雌ネジ部２ｂと螺合しても、その螺合による締結力が直接画像表示パネル１に加わることはない。
【００２６】
ただし、画像表示パネル１が遊びを有していても、弾性部材３の弾性変形により当該画像表示パネル１が支持フレーム２の側に向けて付勢されているので、支持フレーム２への装着状態で当該画像表示パネル１がガタついてしまうといったことは生じない。また、画像表示パネル１に対する付勢は、画像表示パネル１での画像表示に悪影響を及ぼす歪み変形が当該画像表示パネル１に生じる力よりも小さな力で行われている。すなわち、例えば支持フレーム２の支持部２ａに反りや歪み等が生じていても、その反りや歪み等に画像表示パネル１が倣ってしまう程の力が当該画像表示パネル１に加わることがない。そのため、支持フレーム２の支持部２ａについて十分な部品精度や剛性等を確保しておらず、その支持部２ａの平面度にバラツキがあるような場合であっても、画像表示パネル１に反りや歪み等が生じてしまうことがないのである。
【００２７】
したがって、本実施形態の画像表示装置および画像表示パネル１の固定構造によれば、画像表示パネル１における歪み変形に起因する表示むら等の発生を未然に回避することができ、画像表示の際に良好な画質が得られるようになる。しかも、支持フレーム２について十分な部品精度や剛性等を必要としないので、その支持フレーム２を簡素な構造で容易に作成することが実現可能となり、結果として画像表示装置の薄型化や小型化、装置コストの低減等を図る上で非常に好適なものとなる。
【００２８】
また、本実施形態で説明したように、締結具６として、雄ネジ６ａとスペーサ６ｂとから構成されているもの、または雄ネジ部６ｃとスペーサ部６ｄとを有した段付きネジ構造のものを用いれば、画像表示パネル１に反りや歪み等が生じてしまうのを回避すべく支持フレーム２への装着状態で画像表示パネル１が有する遊びの確保を、簡素な構成で確実に実現し得るようになる。特に、雄ネジ６ａとスペーサ６ｂとから構成されたものを用いれば、広く流通している一般的な雄ネジ（ボルト等）を利用できるので、部品入手の容易さや装置コスト等の点で非常に好適なものとなる。一方、雄ネジ部６ｃとスペーサ部６ｄとを有した段付きネジ構造のものを用いれば、雄ネジ６ａのスペーサ６ｂへの嵌入が不要になることから、小さなスペースや微小なネジ径等に対応することが容易となり、画像表示装置の薄型化や小型化等を実現する上で非常に好適なものとなる。
【００２９】
また、本実施形態で説明したように、弾性部材３の弾性変形を利用して、画像表示パネル１を支持フレーム２に向けて付勢すれば、その付勢を非常に簡素な構成を行うことができ、しかも略一定の力で均一に画像表示パネル１に対する付勢を行うことが実現可能となる。さらには、その弾性部材３の弾性変形が、当該弾性部材３、パネル保護板４および前面カバー５の組み合わせによって生じるように構成すれば、画像表示パネル１の防塵および保護のために配されている弾性部材３に、画像表示パネル１に対する付勢を行うための機能を兼ねさせることになるので、画像表示装置の構成を簡素化し、これにより装置薄型化や小型化、コスト低減等を図る上で、非常に好適なものとなる。
【００３０】
なお、本実施形態では、本発明の好適な実施具体例について説明したが、本発明はその内容に限定されるものではなく、その要旨を逸脱しない範囲で適宜変更することが可能である。例えば、画像表示パネル１に対する付勢を行うための弾性部材３は、必ずしも画像表示パネル１の防塵および保護のために配されているスポンジ材によって実現する必要はなく、当該スポンジ材とは別個に配されるバネ材を用いて構成することも考えられる。
【００３１】
また、本発明は、画像表示パネルを備えた画像表示装置およびその画像表示装置で用いられる画像表示パネルの固定構造であれば、パーソナルコンピュータにおける表示ディスプレイ装置、携帯電話機に代表されるモバイル端末装置、各種測定機器におけるモニタ画面装置等といったように、様々なものに適用することが可能である。
【図面の簡単な説明】
【００３２】
【図１】本発明に係る画像表示装置の要部構成例を示す説明図である。
【図２】本発明に係る画像表示装置における締結具の具体例を示す説明図である。
【図３】従来における画像表示装置の要部構成例を示す説明図である。
【符号の説明】
【００３３】
１…画像表示パネル、１ａ…固定用貫通孔、２…支持フレーム、２ａ…支持部、２ｂ…雌ネジ部、３…弾性部材、４…パネル保護板、５…前面カバー、５ａ…開口、６…締結具、６ａ…雄ネジ、６ｂ…スペーサ、６ｃ…雄ネジ部、６ｄ…スペーサ部
【図１】
2007279336.tif 000003
【図２】
2007279336.tif 000004
【図３】
2007279336.tif 000005